(57)【要約】  本発明は、空間光変調器媒体（１８）、検出器（２０）、ホログラフィック記憶媒体（１０）、空間光変調器媒体及びホログラフィック記憶媒体の間における第一のレンズ（２２）、並びに、ホログラフィック記憶媒体及び検出器の間における第二のレンズ（２４）を含む、ホログラフィック記憶媒体にデータを記憶するためのセットアップに関係するが、それにおいて、空間光変調器媒体の表面及び第一のレンズの主平面の間の距離は、第一のレンズの焦点距離に対応すると共に、第一のレンズの主平面及びホログラフィック記憶媒体記憶媒体を通じた参照平面の間の距離は、第一のレンズの焦点距離に対応するが、それにおいて、ホログラフィック記憶媒体を通じた参照平面及び第二のレンズの主平面の間の距離は、第二のレンズの焦点距離に対応すると共に第二のレンズの主平面及び検出器の感知可能な表面の間の距離は、第二のレンズの焦点距離に対応するが、それにおいて、ホログラフィック記憶媒体は、第一の基体層及び第二の基体層の間にホログラフィック記録層を含むが、それにおいて、第一の基体層の厚さは、第二の基体層の厚さと異なるものであると共に、それにおいて、ホログラフィック記憶媒体を通じた参照層は、ホログラフィック記録層を通過するものではないが、それによってホログラフィック記録層は、第一の及び第二のレンズの焦点外にあるものである。
2009541782.tif 000002
【特許請求の範囲】
【請求項１】
ホログラフィック記憶媒体にデータを記憶するためのセットアップであって、
空間光変調器媒体、
検出器、
ホログラフィック記憶媒体、
前記空間光変調器媒体及び前記ホログラフィック記憶媒体の間の第一のレンズ、並びに
前記ホログラフィック記憶媒体及び前記検出器の間の第二のレンズ、
を含む、セットアップにおいて、
前記空間光変調器媒体の表面及び前記第一のレンズの主平面の間の距離は、前記第一のレンズの焦点距離に対応すると共に、前記第一のレンズの主平面及び前記ホログラフィック記憶媒体を通じた参照平面の間の距離は、前記第一のレンズの焦点距離に対応し、
前記ホログラフィック記憶媒体を通じた参照平面及び前記第二のレンズの主平面の間の距離は、前記第二のレンズの焦点距離に対応すると共に、前記第二のレンズの主平面及び前記検出器の感知可能な表面の間の距離は、前記第二のレンズの焦点距離に対応し、
前記ホログラフィック記憶媒体は、第一の基体層及び第二の基体層の間にホログラフィック記録層を含む、前記第一の基体層の厚さは、前記第二の基体層の厚さと異なるものであると共に、
前記ホログラフィック記憶媒体を通じた参照層は、前記ホログラフィック記録層を通過するものではないことによって、前記ホログラフィック記録層は、前記第一のレンズ及び前記第二のレンズの焦点外にある、セットアップ。
【請求項２】
請求項１に記載のセットアップであって、
前記ホログラフィック記憶媒体の前記第一の基体層及び前記第二の基体層は、第一の屈折率を有する第一の材料で作られ、前記ホログラフィック記憶媒体の前記ホログラフィック記録層は、第二の屈折率を有する第二の材料から作られると共に、前記第一の屈折率及び前記第二の屈折率は、１０％と比べてより少ない分だけ異なる、セットアップ。
【請求項３】
請求項２に記載のセットアップであって、
前記第一の屈折率及び前記第二の屈折率は、５％と比べてより少ない分だけ異なる、セットアップ。
【請求項４】
請求項２又は３に記載のセットアップであって、
前記第一の屈折率及び前記第二の屈折率は、同一である、セットアップ。
【請求項５】
請求項１に記載のセットアップであって、
前記ホログラフィック記憶媒体の外側の基体の表面から等しい距離を有する中央の平面は、前記ホログラフィック記憶媒体を通じた参照平面と調和する、セットアップ。
【発明の詳細な説明】
【技術分野】
【０００１】
本発明は、ホログラフィック記憶媒体にデータを記憶するためのセットアップ（setup）に関係する。本発明は、空間光変調器（spatial  light  modulator）（ＳＬＭ）を使用するデータ記憶に特に関係する。
【背景技術】
【０００２】
ホログラフィックデータ記憶において、ディジタル情報（‘０’及び‘１’）を含有する二次元の空間光変調器（ＳＬＭ）のパターンは、ホログラフィック記憶媒体へと投射される。最も平凡な構成は、いわゆる４ｆフーリエ（Fourier）構成であるが、それにおいて、ＳＬＭ及び第一のレンズの間の距離は、このレンズの一つの焦点距離ｆ１であると共に、このレンズから媒体までの距離が、ｆ１であると共に、媒体から第二のレンズまでの距離は、この第二のレンズの一つの焦点距離ｆ２であると共に、最後にこの第二のレンズから検出器アレイまでの距離は、重ねてｆ２である。典型的には、ｆ１＝ｆ２である。
【０００３】
このようなセットアップの図解は、図２に与えられる。レーザーからの光は、偏光ビームスプリッター２６による反射性の空間光変調器１８（Ｒ−ＳＬＭ，例．ＬＣｏＳのデバイス）に向かって方向付けられる。Ｒ−ＳＬＭによって発生させられた二次元のデータページは、結像レンズ２２に向かって逆戻りに反射させられるが、それは、ホログラフィック媒体１１０の中へと光を集束させる。この光は、（示されたものではない）参照ビームと媒体において干渉すると共に、データを表す屈折率変調に帰着する。読み出しの間に、媒体１１０は、参照ビームで照明されるが、回折によって、元来のデータページの波面の再構築に帰着する。回折させられた光は、検出器アレイ２０（例．ＣＭＯＳ又はＣＣＤアレイ）へとレンズ２４で結像させられる。ＳＬＭから第一のレンズ２２までの距離が、このレンズ２２の焦点距離に対応すると共に、第二のレンズ２４から検出器アレイ２０までの距離のみならず、レンズ２２から媒体１１０までの距離、媒体１１０から第二のレンズ２４までの距離に等しいものである；よって、名称４ｆ構成であることに留意すること。
【０００４】
図２から見てとることができるように、媒体は、おおざっぱにＳ＝（Ｋλ／ＮＡ）２に等しいスポットの大きさＳで、焦点にあるものであるが、そこでは、Ｋ２は、ＳＬＭにおけるピクセルの数であると共に、λは、光の波長であると共に、ＮＡ＝ｓｉｎΘは、使用されたレンズの開口数である。しかしながら、この焦点を通じた強度分布は、均質なものではないが、しかし、λ／ＮＡのピーク幅及びＫ４での強度のスケーリングで強くピークに達せられる。事実上、強度分布は、ＳＬＭにおける像のフーリエ変換であると共に、ピークは、ゼロでないＤＣフーリエ成分から生じる。このピークは、いずれの情報をも担うものではないが、それにおいてピクセルものは、‘１’であると共にそれは、‘０’であると共に、このように望ましくないものである。さらには、このピークの強度（〜Ｋ４）は、周囲の強度（〜Ｋ２）と比べてより大きい規模のオーダーであると共に、よって媒体を焼き込む及び／又は屈折率変調における望ましくない非線形性を導入することになる。
【０００５】
この問題の最も平凡な解決手段は、図３に図解されるが、それは、正確にではないが、しかし、焦点外に、ホログラフィック記録層を位置決めするものである。今、光学系は、材料が、偏心して置かれると、非対称的なものである。これは、この方式で導入される追加の波面収差のために、望ましくないものである。十分に対称的な設計においては、コマ及び歪曲は、完全に不在のものであると共に、よって、対称的な設計は、好適なものである。
【発明の開示】
【発明が解決しようとする課題】
【０００６】
従って、当該発明の目的は、追加の波面収差を導入することなく、望まれたものでないＤＣフーリエ成分を回避するために、解決手段を提供するということである。
【課題を解決するための手段】
【０００７】
上の目的は、独立請求項の特徴によって解決される。当該発明のさらなる進展及び好適な実施形態は、従属請求項において概略が述べられる。
【０００８】
当該発明に従って、提供されるものは、
空間光変調器媒体、
検出器、
ホログラフィック記憶媒体、
空間光変調器媒体及びホログラフィック記憶媒体の間の第一のレンズ、並びに
ホログラフィック記憶媒体及び検出器の間の第二のレンズ、
を含む、ホログラフィック記憶媒体にデータを記憶するためのセットアップであるが、
それにおいて、空間光変調器媒体の表面及び第一のレンズの主平面の間の距離は、第一のレンズの焦点距離に対応すると共に、第一のレンズの主平面及びホログラフィック記憶媒体を通じた参照平面（reference  plane）の間の距離は、第一のレンズの焦点距離に対応するが、
それにおいて、ホログラフィック記憶媒体を通じた参照平面及び第二のレンズの主平面の間の距離は、第二のレンズの焦点距離に対応すると共に、第二のレンズの主平面及び検出器の感知可能な表面（sensitive  surface）の間の距離は、第二のレンズの焦点距離に対応するが、
それにおいて、ホログラフィック記憶媒体は、第一の基体層及び第二の基体層の間にホログラフィック記録層を含むが、それにおいて、第一の基体層の厚さは、第二の基体層の厚さと異なるものであると共に、
それにおいて、ホログラフィック記憶媒体を通じた参照層（reference  layer）は、ホログラフィック記録層を通過するものではないが、それによって、ホログラフィック記録層は、第一の及び第二のレンズの焦点外にあるものである。
【０００９】
例えばホログラフィック記録層が、ビームスプリッターの近くの第一のレンズの方向における焦点外にシフトさせられるとすれば、反対側における基体と比べてより薄いものであるこのレンズに面する基体を有することは、賢明なことである。このように、設計は、先行技術の非対称的な設計と比較された際に、“より対称的なもの”になるが、それによって追加の波面収差の効果を軽減する。最も好ましくは、完全に対称的な設計は、達成可能なことである。その結果として、先行技術と比較された際に改善された波面の挙動を備えた望まれてないＤＣフーリエ成分を回避する光学的なセットアップは、提供される。
【００１０】
好ましくは、ホログラフィック記憶媒体の第一の基体層及び第二の基体層は、第一の屈折率を有する第一の材料で作られる、ホログラフィック記憶媒体のホログラフィック記録層は、第二の屈折率を有する第二の材料から作られる、並びに、第一の屈折率及び第二の屈折率は、１０％と比べてより少ない分だけ異なる。それによって、光学的にほとんど均質なホログラフィック記憶媒体は、幾何学的な性質の点で対称的なものであるセットアップが、また光学的な対称性までシフトさせられるように、提供される。
【００１１】
この意味において、第一の屈折率及び第二の屈折率が、５％と比べてより少ない分だけ異なることは、好ましいことであると共に、第一の屈折率及び第二の屈折率が、同一のものであることは、いっそうより好ましいことである。
【００１２】
特に、ホログラフィック記憶媒体の外側の基体の表面から等しい距離を有する中央の平面は、ホログラフィック記憶媒体を通じた参照平面と調和する。このように、光学的な波面収差を最小にする完全に対称的なセットアップは、提供される。
【発明を実施するための最良の形態】
【００１３】
当該発明のこれらの及び他の態様は、ここより後に記載された実施形態から明白なものであると共にそれらを参照して解明されると思われる。
【００１４】
図１は、本発明に従ったホログラフィックデータ記憶デバイスのセットアップを示す。
【００１５】
図２は、先行技術に従ったホログラフィックデータ記憶デバイスのセットアップを示す。
【００１６】
図３は、先行技術に従ったホログラフィックデータ記憶デバイスのセットアップを示す。
【００１７】
図１は、本発明に従ったホログラフィックデータ記憶デバイスのセットアップを示す。一般的なセットアップは、先行技術のセットアップと同一のものである。従って、図２への参照は、なされると共にそれの記載は、上に与えられたようなものである。先行技術との対比において、提供されたホログラフィック記憶媒体１０は、異なる厚さを備えた二つの基体１４，１６を有する。このように、セットアップの焦点に全体のホログラフィック記憶媒体の中央の平面を放置すると、ホログラフィック記録層は、焦点外にシフトさせられる。その結果として、ＤＣフーリエ成分は、回避されると共に、追加の光学的な波面収差は、導入されない。
【００１８】
上に記載されたものではない均等物及び変更物は、また、当該発明の範囲から逸脱することなく用いられることがあるが、それは、付随する特許請求の範囲において定義される。
【図面の簡単な説明】
【００１９】
【図１】図１は、本発明に従ったホログラフィックデータ記憶デバイスのセットアップを示す図である。
【図２】図２は、先行技術に従ったホログラフィックデータ記憶デバイスのセットアップを示す図である。
【図３】図３は、先行技術に従ったホログラフィックデータ記憶デバイスのセットアップを示す図である。
【図１】
2009541782.tif 000003
【図２】
2009541782.tif 000004
【図３】
2009541782.tif 000005
【国際調査報告】
2009541782.tif 000006
2009541782.tif 000007